(57)【要約】 【課題】  遊技球に衝撃を与えることによって、遊技者にとって不利な遊技球通路から、遊技者にとって有利な遊技球通路へ遊技球を進路変更可能であり、かつ遊技者にとって有利な遊技球通路を経由した遊技球の流れを、進路変更された遊技球によって阻害されることを防止可能なパチンコ機を提供する。【解決手段】  打撃部３１は、遊技者にとって不利な球通路に向かって転動する遊技球に当接することによって、遊技球を回転体１３の外方から第２遊技球通路３９に向かうように進路変更可能に構成される。このような打撃部３１によって進路変更されて、打撃部３１から支持体３２に至る経路Ｔ３にある遊技球は、受入部４１によって、受入られる。第２遊技球通路３９に受入られた遊技球は、右方側から入口３８に至る経路Ｔ２によって、入口３８に向かって転動し、回転体１３に至る。第１遊技球通路４０と第２遊技球通路３９とでは、入口３８に至る経路が異なる。【選択図】      図２
2008295681.tif 000002
【特許請求の範囲】
【請求項１】
遊技領域を転動する遊技球が進入可能な入賞装置に設けられ、該入賞装置に進入した遊技球を複数の入球口の何れかに振分けるパチンコ機の球振分構造であって、
垂直に対して傾斜した軸線を中心として回転可能に設けられているとともに、外周部に複数の凹部を有し、第１凹部に受入れた遊技球は遊技者にとって有利な第１入球口へと導かれるとともに、第２凹部に受入れた遊技球は前記第１入球口よりも不利な第２入球口へと導かれる回転体と、
前記回転体の周囲において該回転体の下降端に対応して設けられ、遊技球を該回転体の前記凹部へと導き入れる入口と、
前記回転体の下降端および該回転体の前記軸線を含む仮想平面を境界とし、該境界の一方側の領域において該回転体の外周に沿って延在するとともに下降端が前記入口に接続され、前記入賞装置に進入した遊技球のうちの少なくとも一部を前記入口へと案内する第１遊技球通路と、
前記仮想平面を境界とした他方側の領域において前記回転体の外周に沿って設けられ、前記第１遊技球通路に導かれなかった遊技球および／または前記第１遊技球通路を経由したものの前記回転体の前記第１入球口に到達しなかった遊技球を前記第１入球口よりも不利な第３入球口へと導く傾斜面と、
前記傾斜面上を転動する遊技球のうちの一部について進路を変更して前記回転体の外周側に向かわせる進路変更手段と、
前記仮想平面を境界とした他方側の領域において前記回転体の外周に沿って延在するとともに下降端が前記入口に接続された第２遊技球通路と、
を備えたことを特徴とするパチンコ機の球振分構造。
【発明の詳細な説明】
【技術分野】
【０００１】
本発明は、入賞装置に進入した遊技球を複数の入球口の何れかに振分けるパチンコ機の球振分構造に関する。
【背景技術】
【０００２】
第１の従来の技術のパチンコ機は、いわゆる２種タイプ（羽根物）と呼ばれるパチンコ機であって、大入賞装置を備え、この大入賞装置内に球振分装置を有する。球振分装置は、１つがＶ穴である複数の穴を外周に備えた回転体を有し、大入賞装置に入賞して回転体に至った遊技球がＶ穴に入ると、遊技者に有利な大当り遊技がもたらされるように構成される（たとえば特許文献１参照）。
【０００３】
また第１の従来の技術のように、大入賞装置に入賞した全ての遊技球が回転体に至る構造では、遊技が単調であり、しかも見かけも確率的となって味気ない印象を与える。このような問題を解決するため、第２の従来の技術のパチンコ機では、回転体の上流側に別の球振分装置が配置される。この球振分装置は、大入賞装置に入賞した遊技球を、回転体に至る遊技球通路と、回転体に至らない遊技者にとって不利な遊技球通路とに振分けるように構成される。このように回転体の上流側に別の球振分装置を配置すると、回転体に至る遊技球通路に遊技球が振分けられなかった場合には、その振分け時点、つまり大入賞装置に入賞してから早い時点で、遊技者に残念感が生じるという問題がある。
【０００４】
このような問題を解決するため、第３の従来の技術のパチンコ機は、第２の従来の技術と同様に、回転体の上流側に球振分装置が配置され、回転体に至る第１遊技球通路とは別に設けられた遊技者にとって不利な第２遊技球通路上に所定のタイミングで遊技球を打撃する打撃部材が配置される。これによって打撃部材が第２遊技球通路上を転動する遊技球にタイミングが合って、遊技球を打撃すると、打撃によって遊技球が回転体に向かうように構成される（たとえば特許文献２参照）。
【０００５】
【特許文献１】特開２００６−２３０８８３号公報
【特許文献２】特開２００６−２０４７２５号公報
【発明の開示】
【発明が解決しようとする課題】
【０００６】
前述の第３の従来の技術を単に第１の従来の技術に適用しようとすると、第１遊技球通路によって回転体に至る遊技球と、打撃部材に打撃されて回転体に至る遊技球とが衝突するおそれがあり、これによって第１遊技球通路によって回転体に至るべき有利な遊技球が、打撃された遊技球と衝突することによって、第１遊技球通路から弾かれて回転体の外方へ至ることがある。したがって遊技者の印象面からも、また大入賞装置の大当り確率の設定面からも問題がある。
【０００７】
このような問題を解決するためには、第１遊技球通路によって回転体に至る遊技球と、打撃部材によって回転体に至る遊技球とは、別の入口で回転体に至るような構成、または第１遊技球通路によって回転体に至る遊技球と、打撃部材によって回転体に至る遊技球とを、それぞれ別の回転体に至るような構成が考えられる。しかし、打撃部材の第一義的な存在意義は、不利となった遊技球通路にある遊技球を、有利な遊技球通路に復活させることであるので、打撃部材による打球は、第１遊技球通路によって遊技球が導かれる回転体と、同じ回転体の同じ入口へ導入される構成を採用した方が、いわゆる復活の理念が、大当りの確率の面、および見た目からも、より生かされるので好ましい。
【０００８】
したがって本発明の目的は、遊技球に衝撃を与えることによって、遊技者にとって不利な遊技球通路から、遊技者にとって有利な遊技球通路へ遊技球を進路変更可能であり、かつ遊技者にとって有利な遊技球通路を経由した遊技球の流れを、進路変更された遊技球によって阻害されることを防止可能なパチンコ機を提供することである。
【課題を解決するための手段】
【０００９】
本発明では、パチンコ機の球振分構造は、入賞装置に進入した遊技球を複数の入球口の何れかに振分け、回転体と、入口と、第１遊技球通路と、第２遊技球通路と、傾斜面と、進路変更手段とを含む。回転体は、垂直に対して傾斜した軸線を中心として回転可能に設けられている。また回転体は、外周部に複数の凹部を有し、第１凹部に受入れた遊技球は遊技者にとって有利な第１入球口へと導かれるとともに、第２凹部に受入れた遊技球は前記第１入球口よりも不利な第２入球口へと導かれる。したがって回転体の凹部に至った遊技球は、複数の凹部によって、第１入球口または第２入球口に振分けられる。入口は、回転体の周囲において回転体の下降端に対応して設けられ、遊技球を回転体の凹部へと導き入れる。したがって入口に至った遊技球は、回転体の凹部に転動させることができる。
【００１０】
第１遊技球通路は、回転体の下降端および回転体の軸線を含む仮想平面を境界とし、該境界の一方側の領域において回転体の外周に沿って延在するとともに下降端が前記入口に接続される。第１遊技球通路は、入賞装置に進入した遊技球のうちの少なくとも一部を入口へと案内する。したがって第１遊技球通路を経由させることによって、入口を介して回転体に遊技球を導くことができる。
【００１１】
また第２遊技球通路は、仮想平面を境界とした他方側の領域において回転体の外周に沿って延在するとともに下降端が前記入口に接続される。したがって第１遊技球通路は、仮想平面を境界として第２遊技球通路の反対側に設けられる。したがって入賞装置に進入した遊技球は、第１遊技球通路を介して入口へ至る経路と、第２遊技球通路を介して入口に至る経路とがある。
【００１２】
傾斜面は、仮想平面を境界とした他方側の領域において回転体の外周に沿って設けられ、第１遊技球通路に導かれなかった遊技球および／または第１遊技球通路を経由したものの回転体の第１入球口に到達しなかった遊技球を第１入球口よりも不利な第３入球口へと導く。したがって傾斜面は、仮想平面に対して第２遊技球通路と同じ領域に設けられ、第２遊技球通路よりも回転体の外周に設けられる。
【００１３】
進路変更手段は、傾斜面上を転動する遊技球のうちの一部について進路を変更して回転体の外周側に向かわせる。このような進路変更手段によって、第３入球口に向かって転動する遊技球の進路を、回転体の外周側に向かわせることによって、第２遊技球通路に進入させることができる。したがって進路変更手段によって、遊技者にとって不利な第３入球口に向かう進路から、回転体に至る有利な進路へ遊技球を進路変更させることができる。また第１遊技球通路と第２遊技球通路とは、入口に至る経路が異なるので、第１遊技球通路で転動する遊技球と、進路変更手段によって進路変更された遊技球とが衝突することを確実に防ぐことができる。
【００１４】
このように第１遊技球通路によって遊技球が導かれる回転体と、同じ回転体の同じ入口へ、第３入球口に向かう不利であった遊技球を進路変更させることができる。したがって、いわゆる復活の理念を、大当りの確率の面、および見た目からも、より生かすことができる。
【発明を実施するための最良の形態】
【００１５】
以下、図面を参照しながら本発明を実施するための形態について説明する。
図１は、本発明の実施の一形態のパチンコ機の遊技盤１を示す正面図である。遊技盤１はパチンコ機の遊技盤取付枠（図示せず）に取付けられ、遊技盤取付枠の前面側に前扉（図示せず）が取付けられる。前扉には透明な窓板としてガラス板（図示せず）が設けられ、ガラス板は、前扉を閉したときに、遊技盤１と略平行になる。ガラス板は遊技球が転動可能な遊技領域２の前方Ｙ１側を覆うように設けられ、遊技者はガラス板を通して前方Ｙ１側から遊技領域２での遊技球の動きを見ることができる。以下、前扉が閉じた状態で、ガラス板の厚み方向を前後方向Ｙと称する。またガラス板の厚み方向に対して垂直な方向のうち、厚み方向に垂直な投影面に投影した場合に、遊技盤１の表面の長辺に沿って延びる方向を上下方向Ｚと称する。また前後方向Ｙおよび上下方向Ｚに対してともに垂直な方向を左右方向Ｘと称する。パチンコ機が店舗などに設置され、遊技可能な状態では、上下方向Ｚは鉛直方向と略平行であり、左右方向Ｘおよび前後方向Ｙは水平方向と略平行にとなるように設定される。
【００１６】
図１に示すように、遊技盤１の前面側には、発射された遊技球を案内するためのガイドレール３が設けられ、ガイドレール３に囲まれた遊技領域２の上部に遊技球が案内される。遊技領域２には、遊技球を転動させるための釘４が打設されるとともに、通過チャッカー５、およびアウト口６の各種構造物が配設される。
【００１７】
さらに、図１に示す遊技盤１を前後方向Ｙ一方の前方Ｙ１から見て、遊技領域２の中央から上下方向Ｚ一方の上方Ｚ１側に入賞装置７が設けられる。入賞装置７は、発射された遊技球が通常通過する通常領域８とは区画された入賞領域９が形成され、予め定める入賞条件で、入賞装置７の上部にある遊技球流入部１０に備えられた開閉部１１が開放することによって、遊技球が入賞装置７内の入賞領域９に入球可能になる。図１に示す入賞装置７の場合の入賞条件は、通過チャッカー５を遊技球が通過することである。遊技球が通過チャッカー５を通過すると、入賞装置７は開閉部１１を開放し、遊技球が入賞領域９に入り難い状態から遊技球が入り易い状態に切換わり、遊技球が入り易い状態が数秒間だけ維持される。
【００１８】
入賞装置７について説明する。入賞装置７の内部の構成は、パチンコ機の機種によって様々である。本実施の形態のパチンコ機は、アナログ式の抽選機能を有している。このようなパチンコ機では、入賞装置７には入賞領域９に「Ｖゾーン」と呼ばれる特別入賞口（図示せず）が設けられる。パチンコ機は、遊技者にとって有利な第１入球口である特別入賞口に遊技球が進入することで大当りを生起する。大当りとは、パチンコ機の動作態様が遊技者にとって有利な状態になることをいう。大当りになったときのパチンコ機の動作態様は機種によって様々であるが、本実施の形態のパチンコ機では、遊技球流入部１０に備えられた開閉部１１の開閉動作が複数回繰り返され、遊技球が入賞装置７内に流入可能な状態が断続的に繰り返され、さらに特別入賞口に再び遊技球が進入することによって、多くの賞球を獲得することが可能になる。
【００１９】
入賞装置７は、回転体１３、第１遊技球通路４０、第２遊技球通路３９、遊技球を入賞領域９から排出する球排出通路１４、第１遊技球通路４０まで遊技球を案内する第１通路１５、回転体１３の外方に遊技球を案内する第２通路１６、第１通路１５と第２通路１６とに遊技球を振分けるシーソー型振分装置１７、シーソー型振分装置１７に遊技球を落下させる遊技球流入部１０、遊技球に衝撃を与える打撃部３１、および各部を駆動する駆動部（図示せず）を含んで構成される。シーソー型振分装置１７は、遊技球流入部１０の下方Ｚ２に設けられる。遊技球流入部１０から流入した遊技球は、最初に、入賞領域９の上方Ｚ１に設けられたシーソー型振分装置１７によって、左右の第１通路１５または第２通路１６に振分けられる。シーソー型振分装置１７は、平板状であって、前後方向Ｙに延びる揺動軸線Ｌ１まわりに揺動することによって、左右方向Ｘに遊技球を振分ける。中央に設けられた液晶表示装置（図示せず）よりも左方Ｘ２に振分けられた遊技球は、第１通路１５を通り抜けて回転体１３の後方Ｙ２から前方Ｙ１に向かって転動して第１遊技球通路４０に至る。中央に設けられた液晶表示装置よりも右方Ｘ１に振分けられた遊技球は、第２通路１６を通り抜けて回転体１３の右方Ｘ１に落下されて、回転体１３の外方に至る。
【００２０】
図２は、入賞装置７を前方Ｙ１の上方Ｚ１側から見て示す斜視図であって、回転体１３付近を拡大して示す斜視図である。回転体１３は、入賞領域９の下方Ｚ２側を形成する底壁２８から、上方Ｚ１に凸となる支持体３２に設けられる。底壁２８は、傾斜面であって、後述する仮想平面４５の他方側の領域において、回転体１３の外周に沿って設けられる。底壁２８は、第１遊技球通路４０に導かれなかった遊技球および／または第１遊技球通路４０を経由したものの回転体１３の特別入賞口および排出口に到達しなかった遊技球を特別入賞口よりも不利な排出口２５へと導く。底壁２８は、前方Ｙ１に進むにつれて下方Ｚ２に進むように傾斜する。また底壁２８の前方Ｙ１には、他の球通路であり、遊技者にとって不利な球排出通路１４が設けられ、その一端部が排出口２５として上方Ｚ１に臨んで開口している。排出口２５は、第３入球口であって、特別入賞口よりも不利な入球口である。底壁２８の傾斜によって前方Ｙ１へこぼれ落ちた遊技球は、前述のように排出口２５に入り、球排出通路１４によって入賞装置７の後方Ｙ２側から遊技領域２の外部に排出される。
【００２１】
また支持体３２の右方Ｘ１には、打撃部３１が設けられる。打撃部３１は、進路変更手段であって、底壁２８を転動する遊技球のうちの一部について進路を変更して回転体１３の外周側に向かわせる。打撃部３１は、本実施の形態では変位可能であり、遊技者にとって不利な球通路である球排出通路１４に向かって転動する遊技球に当接することによって、遊技球を支持体３２の外方から支持体３２に向かうように進路変更可能に構成される。打撃部３１は、第２通路１６を通り抜けて回転体１３の右方Ｘ１に落下されて、回転体１３の外方、すなわち支持体３２の右方側に落下し、底壁２８の傾斜によって前方Ｙ１へ転動している遊技球に当接可能に構成される。打撃部３１は、左右方向Ｘに周期的にスライド変位可能に構成され、右方Ｘ１から左方Ｘ２に向かって変位した場合に、底壁２８を転動している遊技球に当接することによって、遊技球に衝撃を与えて、支持体３２に向かわせることが可能である。
【００２２】
駆動部は、遊技球流入部１０に備えられた開閉部１１、打撃部３１、および回転体１３をそれぞれ駆動する。駆動部は、開閉部用ソレノイド（図示せず）、打撃部用ソレノイド（図示せず）、および回転体用モータ（図示せず）を含み、開閉部用ソレノイドは、開閉部１１が開閉運動するように駆動する。また打撃部用ソレノイドは、打撃部３１が左右方向Ｘに沿って往復運動するように駆動する。また回転体用モータは、回転体駆動手段であって、回転体１３が予め定める軸線Ｌ２まわりに回転するように駆動する。回転体１３の回転周期は、予め定める周期となるように設定される。また打撃部３１の周期は、予め定める周期となるように設定される。駆動部は、モータおよび電磁ソレノイドなどのアクチュエータ、ならびにラック、ピニオンおよび歯車などの伝達手段によって適宜構成される。このような駆動部は、各部を制御するための主基板によって予め定める動作をするように制御される。
【００２３】
支持体３２は、上方Ｚ１に、円形断面で開口する中央凹所３３が形成されている。中央凹所３３の床面３６は、前方Ｙ１に進むにつれて上方Ｚ１に進むように傾斜する。中央凹所３３の床面３６には、複数、本実施形態では、２つの入球口として特別入賞口（図示せず）と排出口（図示せず）とが形成されている。特別入賞口は、遊技者にとって有利な入球口であり、排出口は、第２入球口であって、遊技者にとって不利な入球口である。中央凹所３３には、厚肉の円板形状を呈する回転体１３が収容位置せしめられている。回転体１３は、垂直に対して傾斜した軸線Ｌ２を中心に回転可能に設けられる。回転体１３の軸線Ｌ２は、上方Ｚ１に進むにつれて、前方Ｙ１に向かうように傾斜している。この回転体１３は、外周部に複数（本実施形態では４つ）の収容凹部３４，３５が形成されている。収容凹部３４と収容凹部３５とは形状が異なり、それぞれに遊技球が収容可能とされている。本実施形態では、各収容凹部３４，３５は外周部に周方向で等間隔に形成されている。
【００２４】
また、本実施形態では、収容凹部３４は１つ形成され、遊技者にとって有利な収容凹部である第１凹部（以下、「Ｖ収容凹部３４」ということがある）となる。収容凹部３５は３つ形成され、遊技者にとって不利な収容凹部である第２凹部（以下、「排出収容凹部３５」ということがある）となる。各収容凹部３４，３５は、回転体１３の外周縁部を略一定の断面、本実施形態では、Ｕ字状断面で厚さ方向に貫通するように形成されている。換言すると、各収容凹部３４，３５は、回転体１３の外周縁部を略一定のＵ字状断面で切り欠く切欠形状とされているのである。Ｖ収容凹部３４の奥行寸法（回転体１３の半径方向の寸法）は、排出収容凹部３５の奥行寸法（回転体１３の半径方向の寸法）よりも大きくされている。
【００２５】
このような構造とされた回転体１３は、その中心軸上に設けられ、下方Ｚ２に凸となるボス部（図示せず）が中央凹所３３の床面３６の裏側に配された駆動歯車（図示せず）に対して一体的に組み付けられた状態で、中央凹所３３に収容配置されている。このようにして回転体１３のボス部と連結された駆動歯車には、回転体用モータの出力軸からの回転駆動力が、各種の伝達手段を介して伝動される。これにより、回転体用モータの回転駆動力が、回転体１３に伝達されるようになっている。その結果、回転体１３が周方向一方向に回転せしめられるようになっている。
【００２６】
回転体１３が回転せしめられた場合、これら２つの入球口のうち中央凹所３３の床面３６において半径方向外方に位置せしめられた排出口の上方Ｙ１を、排出収容凹部３５が通過するようになっている。したがって遊技球が収容された状態で、排出収容凹部３５が排出口の上方Ｙ１を通過した場合、収容された遊技球は、排出口から排出路（図示せず）を通って、入賞装置７の後方Ｙ２側から遊技領域２の外部に排出される。
【００２７】
また回転体１３が回転せしめられた場合、これら２つの入球口のうち中央凹所３３の床面３６において半径方向内方に位置せしめられた特別入賞口の上方Ｙ１を、Ｖ収容凹部３４が通過するようになっている。したがって遊技球が収容された状態で、Ｖ収容凹部３４が特別入賞口の上方Ｙ１を通過した場合、収容された遊技球は、特別入賞口から排出路（図示せず）を通って、入賞装置７の後方Ｙ２側から遊技領域２の外部に排出される。このようにＶ収容凹部３４に受入れられた遊技球は遊技者にとって有利な特別入賞口へと導かれるとともに、排出収容凹部３５に受入れられた遊技球は排出口へと導かれる。
【００２８】
中央凹所３３の外側には、中央凹所３３の側壁３７に沿って延びる第１遊技球通路４０および第２遊技球通路３９が設けられている。第１遊技球通路４０は、回転体１３の下降端４４および回転体１３の軸線Ｌ２を含む仮想平面４５を境界とし、境界の一方側である左方側の領域において回転体１３の外周に沿って延在するとともに、下降端４４が入口３８に接続され、入賞装置７に進入した遊技球のうちの少なくとも一部を入口３８へと案内する。第２遊技球通路３９は、仮想平面４５を境界とした他方側である右方側の領域において回転体１３の外周に沿って延在するとともに、下降端４４が入口３８に接続される。
【００２９】
入口３８は、回転体１３の周囲において回転体１３の下降端４４に対応して設けられ、遊技球を回転体１３の収容凹部３４，３５へと導き入れる。入口３８は、回転体１３の下降端４４であって、回転体１３の最も下方Ｚ２の部分の前方Ｙ１に設けられる。第２遊技球通路３９は、仮想平面４５を境界として他方側の領域であって、打撃部３１側である右方側の領域に、回転体１３の前方Ｙ１の入口３８から、中央凹所３３の側壁３７に沿って、支持体３２の前後方向Ｙ中央付近まで延びる。第１遊技球通路４０は、仮想平面４５を境界として一方側の領域であって、打撃部３１の反対側である左方側の領域に、回転体１３の前方Ｙ１の入口３８から、中央凹所３３の側壁３７に沿って、支持体３２の後方Ｙ２付近まで延びる。第１遊技球通路４０および第２遊技球通路３９は、遊技球が入口３８に向かって転動するように傾斜する。第１遊技球通路４０および第２遊技球通路３９の底面は、前方Ｙ１に進むにつれて下方Ｚ２に進むように傾斜する。入口３８の底面は、第１遊技球通路４０および第２遊技球通路３９の底面より、下方Ｚ２に凹となるように設けられる。
【００３０】
第２遊技球通路３９には、打撃部３１から回転体１３に向かう遊技球を受入可能にする受入部４１が形成されている。受入部４１は、本実施の形態では、支持体３２の右方側から底壁２８に向かって傾斜する受入面４１によって実現される。このような受入面４１は、遊技球が転動可能であり、支持体３２の右方側に設けられる打撃部３１が、遊技球を打撃した場合、打撃された遊技球を第２遊技球通路３９に案内可能に構成される。
【００３１】
このように第１遊技球通路４０および第２遊技球通路３９が構成されるので、第１通路１５を通ってきた後、第１遊技球通路４０において中央凹所３３よりも後方Ｙ２の部分に落下せしめられた遊技球は、第１遊技球通路４０に沿って後方Ｙ２から前方Ｙ１に向けて入口３８まで転動せしめられる。また第２通路１６を通ってきた後、底壁２８によって前方Ｙ１へ転動している途中に、打撃部３１によって打撃された遊技球は、受入部４１によって第２遊技球通路３９に沿って後方Ｙ２から前方Ｙ１に向けて入口３８まで転動せしめられる。また入口３８に転動された遊技球は、第１遊技球通路４０および第２遊技球通路３９のいずれか一方から、いずれか他方に至ることが入口３８の底面の段差によって防止され、中央凹所３３の回転体１３に向かって後方Ｙ２に転動する。
【００３２】
中央凹所３３に向けて案内されてきた遊技球は、入口３８を通って、中央凹所３３内で回転せしめられている回転体１３に形成された４つの収容凹部３４，３５の何れかに収容されるようになっている。そして、回転体１３に形成された４つの収容凹部３４，３５の何れかに収容された遊技球は、２つの入球口の何れかから遊技盤１の裏側に排出される。これによってＶ収容凹部３４に、タイミングよく入れば、入賞となり大当りになる。
【００３３】
各球排出通路１４には、遊技球が通過の有無を検出するセンサが設けられる。したがって特別入賞口を通過した遊技球の数、排出口を通過した遊技球の数、およびアウト口６を通過した遊技球の数をそれぞれカウント可能に構成される。これによって大当り時において、入賞装置７に進入した遊技球を、各センサを通過した遊技球のカウントを合計することによって、検出することができる。
【００３４】
以上説明したように、入賞装置７に設けられる回転体１３、入口３８、第１遊技球通路４０、第２遊技球通路３９、底壁２８、および打撃部３１は、入賞装置７に進入した遊技球を複数の入球口の何れかに振分けるパチンコ機の球振分構造として機能する。本実施の形態の入賞装置７では、第１遊技球通路４０は、回転体１３の外周に沿って設けられ、遊技球を回転体１３に案内可能に構成される。したがって入賞装置７に入球した遊技球は、第１通路１５を経て第１遊技球通路４０に至り、第１遊技球通路４０によって回転体１３に案内される。入口３８は、回転体１３の周囲において回転体１３の下降端４４に対応して設けられ、遊技球を回転体１３の収容凹部３４，３５へと導き入れる。したがって入口３８に至った遊技球を、回転体１３の収容凹部３４，３５に転動させることができる。
【００３５】
第１遊技球通路４０は、仮想平面４５の左方側の回転体１３の外周に沿って入口３８へと続き、第２遊技球通路３９は、仮想平面４５の右方側の回転体１３の外周に沿って入口３８へと続く。第１遊技球通路４０および第２遊技球通路３９は、遊技球が入口３８に向かって転動するように傾斜する。したがって遊技球が入口３８に至る経路は、第１遊技球通路４０によって左方側から入口３８へ至る経路Ｔ１と、第２遊技球通路３９によって右方側から入口３８に至る経路Ｔ２とがある。また第２遊技球通路３９には、打撃部３１から回転体１３に向かう遊技球を受入れるための受入部４１が形成される。
【００３６】
打撃部３１は、打撃部用ソレノイドによって駆動され、変位可能であり、遊技者にとって不利な球通路に向かって転動する遊技球に当接することによって、遊技球を回転体１３の外方から回転体１３に向かうように進路変更し、すなわち第２遊技球通路３９に向かうように進路変更可能に構成される。このような打撃部３１によって進路変更されて、打撃部３１から支持体３２に至る経路Ｔ３にある遊技球は、受入部４１によって、受入られる。第２遊技球通路３９に受入られた遊技球は、第２遊技球通路３９を転動して入口３８に至る経路Ｔ２によって、入口３８に向かって転動し、回転体１３に至る。したがって打撃部３１によって、遊技球に衝撃を与えて、底壁２８の前方Ｙ１に転動している経路Ｔ４から、回転体１３に向かう経路Ｔ３へ遊技球を進路変更させることができる。また第２遊技球通路３９は、第１遊技球通路４０とは入口３８に至る経路が異なるので、第１遊技球通路４０で転動する遊技球と、打撃部３１によって進路変更された遊技球とが衝突することを確実に防ぐことができる。
【００３７】
このように不利であった遊技球を回転体１３の入口３８へ、進路変更させることができる。したがって、いわゆる復活の理念を、大当りの確率の面、および見た目からも、より生かすことができる。
【００３８】
前述の実施の形態は、本発明の例示に過ぎず、本発明の範囲内において構成を変更することができる。特別入賞口は、回転体１３に形成してもよい。打撃部３１から支持体３２に進入する経路に、所定の周期で変位して、遊技球の進路を変更する可動部をさらに設けてもよい。可動部は、たとえば底壁２８に設けられ、上下方向Ｚに沿って往復運動する障害物によって実現される。これによって打撃部３１によって進路変更された遊技球が、回転体１３に至る確率を変更することができる。打撃部３１が変位する周期は、常に一定でもよく、予め定める条件、たとえば通過チャッカー５の検出により、一定時間駆動させてもよい。打撃部３１は、変位することなく、固定的に設けられている障害物によって実現してもよい。入賞装置７は、第２入球口に入球した遊技球が、底壁２８に導かれるように構成してもよい。
【００３９】
排出収容凹部３５に収容されて第２入球口としての排出口から排出された遊技球を、再び底壁２８に放出してもよい。
【００４０】
第３凹部を回転体１３に設け、第３凹部に受け入れた遊技球が導かれる第４入球口を床面３６に設けて、第４入球口に入球した遊技球を再び底壁２８に放出してもよい。
【００４１】
また受入部４１に遊技球を検出するスイッチを設け、受入部４１を遊技球が通過し、かつ回転体１３のＶ収容凹部３４が前方Ｙ１に位置する角度位置の場合、液晶表示装置に大当りを予告するような画像を表示するようにしてもよい。これによって遊技者は、復活した遊技球が特別入賞口に入る瞬間を視認することができる。
【図面の簡単な説明】
【００４２】
【図１】パチンコ機の遊技盤１を示す正面図。
【図２】入賞装置７の回転体１３付近を拡大して示す斜視図。
【符号の説明】
【００４３】
１…遊技盤、２…遊技領域、７…入賞装置、１３…回転体、２８…底壁、３１…打撃部材、３８…入口、３９…第２遊技球通路、４０…第１遊技球通路、４１…受入部、４５…仮想平面
【図１】
2008295681.tif 000003
【図２】
2008295681.tif 000004